(57)【要約】      （修正有）【課題】可動翼を開閉する時の操作感に優れ、構造が簡単で、様々な室内外の開口に適用できる可動ルーバの提供。【解決手段】左右縦框と、上下框と、左右縦框間または上下框間に略平行に配置する多数の可動翼４と、各可動翼４を軸回転可能に軸支する回転軸体５とを備え、左右縦框または上下框の少なくとも一方の框には、その内部に框の伸びる方向に沿って往復動自在な伝達ラック７ａ，７ｂを設け、可動翼４は、一方の側端面Ｐに軸受穴２３を有し、軸受穴２３の任意の箇所には被係合部２５を設け、他方の側端面に左右縦框または上下框との係止軸体を有し、回転軸体５は、軸方向の一方の端部に同軸で回転する同軸歯車８を有し、軸方向の他方の端部には可動翼４の軸受穴２３に抜き差し可能な差込部２１を有し、同軸歯車８は、伝達ラック７ａ，７ｂに噛合し、差込部２１は、軸受穴２３の被係合部２５に係脱自在な係合部２２を設ける。【選択図】図２
2008285893.tif 000002
【特許請求の範囲】
【請求項１】
左右縦框（１ａ，１ｂ）と、上下框（２，３）と、左右縦框（１ａ，１ｂ）間または上下框（２、３）間に略平行に配置する多数の可動翼（４）と、左右縦框（１ａ，１ｂ）または上下框（２、３）から各可動翼（４）を軸回転可能に軸支する回転軸体（５）とを備えており、
左右縦框（１ａ，１ｂ）または上下框（２，３）の少なくとも一方の框（１ａ）には、その内部に框（１ａ）の伸びる方向に沿って往復動自在な伝達ラック（７ａ，７ｂ）を設けており、
可動翼（４）は、一方の側端面（Ｐ，Ｑ）に軸受穴（２３）を有するとともに、軸受穴（２３）の任意の箇所には被係合部（２５，２５ａ，２５ｂ，２５ｃ）が設けてあり、他方の側端面（Ｐ，Ｑ）に左右縦框（１ａ，１ｂ）または上下框（２、３）との係止軸体（２６）を有しており、
回転軸体（５）は、軸方向の一方の端部に同軸で回転する同軸歯車（８）を有するとともに、軸方向の他方の端部には可動翼（４）の軸受穴（２３）に抜き差し可能な差込部（２１）を有しており、
同軸歯車（８）は、伝達ラック（７ａ，７ｂ）に噛合しており、
差込部（２１）は、軸受穴（２３）の被係合部（２５，２５ａ，２５ｂ，２５ｃ）に係脱自在な係合部（２２）を設けてあることを特徴とする可動ルーバ。
【請求項２】
左右縦框（１ａ，１ｂ）と、上下框（２，３）と、左右縦框（１ａ，１ｂ）間または上下框（２、３）間に略平行に配置する多数の可動翼（４）と、左右縦框（１ａ，１ｂ）または上下框（２、３）から各可動翼（４）を軸回転可能に軸支する回転軸体（５）とを備えており、
左右縦框（１ａ，１ｂ）または上下框（２，３）の少なくとも一方の框（１ａ）には、その内部に框（１ａ）の伸びる方向に沿って往復動自在な伝達ラック（７ａ，７ｂ）を設けており、
可動翼（４）は、一方または他方の側端面（Ｐ，Ｑ）のいずれかに左右縦框（１ａ，１ｂ）または上下框（２、３）との係止軸体（２６）を有しており、
回転軸体（５）は、軸方向の一方の端部に同軸で回転する同軸歯車（８）を有するとともに、軸方向の他方の端部には可動翼（４）の側端面（Ｐ，Ｑ）を嵌脱可能な嵌合部（４０）を有しており、
同軸歯車（８）は、伝達ラック（７ａ，７ｂ）に噛合してあることを特徴とする可動ルーバ。
【請求項３】
前記伝達ラック（７ａ，７ｂ）は、左右縦框（１ａ，１ｂ）または上下框（２，３）の内部の同軸歯車（８）を挟んだ前面側と背面側の各々に配設してあることを特徴とする請求項１又は２記載の可動ルーバ。
【請求項４】
前記可動翼（４）の係止軸体（２６）は、左右縦框（１ａ，１ｂ）または上下框（２，３）のいずれかに向けて出没自在であり且つ没入したときに、左右縦框（１ａ，１ｂ）または上下框（２，３）のいずれかとの係止状態を解除するように形成してあることを特徴とする請求項１、２又は３記載の可動ルーバ。
【発明の詳細な説明】
【技術分野】
【０００１】
本発明は、建物の室内外の開口に射し込む太陽光や照明による光線の照射の光量調整、もしくは室内外の換気を行なうための可動ルーバに関するものである。
【背景技術】
【０００２】
採光の具合を使用者の好みの状態に調節できる可動ルーバが注目を集めている。さらに可動ルーバの各可動翼は通常、使用者の操作に連動して開閉するものであった。
【特許文献１】特開２００３−１４８０６７
【発明の開示】
【発明が解決しようとする課題】
【０００３】
可動ルーバは、採光や換気面での機能的な優位性に加え、意匠的な好適さも十分認識されているが、従来は鎧戸やＦｉＸ窓などの防犯的な使用が多く、そのほとんどがアルミサッシの一製品としてラインナップされていたが、現在では、顧客ニーズの多様化に伴って適用箇所や目的を限定しない製品が求められる傾向にある。例えば、代表的なものとして木製可動ルーバが挙げられるが、アルミやステンレスといった金属製の框にガラス製の可動翼を備えるなど、複数の異なる材質の部材を組み合わせた斬新な可動ルーバも次々に企画されている。ところが可動ルーバの適用可能性を拡大したときの問題点として、この種の可動ルーバが一般的な建具に比べて厚みを要するものであり、ルーバを可変するための操作ユニットや操作レバーなどが開口の室内外方向に突出してしまい、これにより、建具の肉厚に厳密な制限を設けないドアやＦｉｘなどの単独の建具のみで開口に納まるものへの適用に留まり、一般に顧客ニーズの高い引違戸などへの適用は見送られていた。しかも、出入口などの比較的人の往来のあるところに木製可動ルーバを納めた場合、人や物がルーバに不意に接触する機会が多い。これにより傷のつきやすい木製の可動ルーバにあっては、損傷の程度によって可動翼の交換を必要とする場合があり、こういったケースでは、可動ルーバを解体した上で複雑な構造の操作ユニットを取り外さなければならず、専門的な知識を有さない一般的なユーザーは、製造者側に委託しなければならず、一方の製造者側にあっても複雑な構造であることから加工手間が多く、効率的な生産に至っていないのが現状である。
【０００４】
本発明は上記課題に鑑みて成されたものであり、可動翼を開閉するときの操作感に優れており、しかも構造が簡単であるとともに、様々な室内外の開口に適用できる可動ルーバを提供することにある。
【課題を解決するための手段】
【０００５】
本発明のうち請求項１記載の発明は、左右縦框と、上下框と、左右縦框間または上下框間に略平行に配置する多数の可動翼と、左右縦框または上下框のいずれかから各可動翼を軸回転可能に軸支する回転軸体とを備えており、左右縦框または上下框の少なくとも一方の框には、その内部に框の伸びる方向に沿って往復動自在な伝達ラックを設けており、可動翼は、一方の側端面に軸受穴を有するとともに、軸受穴の任意の箇所には被係合部が設けてあり、他方の側端面に左右縦框または上下框との係止軸体を有しており、回転軸体は、軸方向の一方の端部に同軸で回転する同軸歯車を有するとともに、軸方向の他方の端部には可動翼の軸受穴に抜き差し可能な差込部を有しており、同軸歯車は、伝達ラックに噛合しており、差込部は、軸受穴の被係合部に係脱自在な係合部を設けてあることを特徴とする。
【０００６】
ここで係合部および被係合部は、軸受穴から回転軸体を抜き出し可能であること、および空回りを防ぐために縦断面した形状が真円状に形成していないものであればよく、具体的には回転軸体の縦断面した形状が略矩形、多角形、楕円形をなすもの、また軸受穴は回転軸体の断面形状と略同一形状をなすものなどが挙げられる。
【０００７】
本発明のうち請求項２記載の発明は、左右縦框と、上下框と、左右縦框間または上下框間に略平行に配置する多数の可動翼と、左右縦框または上下框から各可動翼を軸回転可能に軸支する回転軸体とを備えており、左右縦框または上下框の少なくとも一方の框には、その内部に框の伸びる方向に沿って往復動自在な伝達ラックを設けており、可動翼は、一方または他方の側端面のいずれかに左右縦框または上下框との係止軸体を有しており、回転軸体は、軸方向の一方の端部に同軸で回転する同軸歯車を有するとともに、軸方向の他方の端部には可動翼の側端部を嵌脱可能な嵌合部を有しており、同軸歯車は、伝達ラックに噛合してあることを特徴とする。
【０００８】
本発明のうち請求項３記載の発明では、前記伝達ラックは、左右框または上下框の内部の同軸歯車を挟んだ前面側と背面側のそれぞれに配設してあることを特徴とする。
【０００９】
本発明のうち請求項４記載の発明では、前記可動翼の係止軸体は、左右縦框または上下框のいずれかに向けて出没自在であり且つ没入したときに、左右縦框または上下框のいずれかとの係止状態を解除するように形成してあることを特徴とする。
【００１０】
本可動ルーバは、例えば窓や間仕切り戸などの室内外を問わずに利用できるため、方向の定義については、本可動ルーバの使用形態によって室内、室外、隣室等様々な状況が当てはめられる。可動ルーバの材質については木材、アルミニウム、ステンレス、樹脂、ガラスなど様々なものを適用してもよく、また複数の材質を組み合わせたものであってもよい。
【発明の効果】
【００１１】
本発明のうち請求項１記載の発明によれば、可動翼の軸体の長手方向の一方側の端部が操作部に噛合し、長手方向の他方側の端部は、可動翼の側端面に対して抜き差し自在に係合してあることにより、可動翼を可動ルーバの本体から容易に取り出せる。しかも可動翼の側端面に抜き差しする側の軸体の端部は、軸受穴の穴奥に係合可能なものであることにより、軸体が回転したときに可動翼に対して確実に回転力が伝達するので、これにより、従来複雑だったこの種の可動ルーバがシンプルな構造となって製造者側の生産性を高めることができるとともに、様々な開口に自由なレイアウトで本可動ルーバを納めることができる。また請求項２記載の発明のように、可動翼の側端縁を嵌脱可能な嵌合部により嵌合しても、請求項１記載の発明同様に、シンプルな構造であるにもかかわらず可動翼に対して確実に回転力を伝達することができる。
【００１２】
本発明のうち請求項３記載の発明によれば、同軸歯車を挟む前面側と背面側に各々伝達ラックを設けてあることにより、同軸歯車が回転するときに、一方の伝達ラックが上方に移動し、他方の伝達ラックが下方に移動することから、可動翼の回転角度が使用者の所望する任意の角度でしっかりと位置決めできるようになる。
【００１３】
本発明のうち請求項４記載の発明によれば、可動翼の回転軸体の差し込まれる側とは相反する側にある係止軸体が左右縦框に向けて出没することにより、可動翼を係止軸体が差し込まれる側の左右縦框に向けて寄せることで、可動翼から回転軸体が抜ける。これにより、可動翼を簡単に交換できるようになり、導入後の可動ルーバの維持にかかる労力の軽減が図られてメンテナンス性が向上する。
【発明を実施するための最良の形態】
【００１４】
以下、本発明による可動ルーバの実施の形態を図面に基づいて以下に説明する。
図１は、本発明の可動ルーバの全体を示す一部を切欠した正面図であり、図２は、図１中Ａを拡大して示す斜視図であり、図３（ａ）（ｂ）は、それぞれ図１のＢ−Ｂ線横断面図である。
尚、本実施による可動ルーバは、木製のものについて説明するものである。
【００１５】
本発明の可動ルーバの全体的な構成を説明すると図１のように、建物の室内開口Ｌに装着する上框２と下框３、そして左右に平行に配置した左右縦框１ａ，１ｂの間に、上下に等間隔で複数の可動翼４が水平方向の回転軸体５により水平軸回転可能に軸支してあり、さらに各回転軸体５の右側の縦框１ａに突入する側の先端には、それぞれに回転軸体５と同一方向に回転する同軸歯車８を有している。また、右側の縦框１ａ内は断面形状がコ字型をなし、この左右縦框１ａ内のスペースＳには後で詳しく説明するが、可動翼４の開閉に係る伝達ラック７ａ，７ｂを格納しており、この伝達ラック７ａ，７ｂは、使用者の操作により、すべての可動翼４を同一の方向に同時に水平軸回転するものである。
【００１６】
本可動ルーバの可動翼４の開閉に係る部位は、図２および図３に示すように、可動翼４の同軸歯車８と噛合し且つ右側の縦框１ａの長手方向に沿って上下に伸びる伝達ラック７ａ，７ｂと、この伝達ラック７ａ，７ｂを上下動するツマミ９と、ツマミ９と伝達ラック７ｂとを固定するケーシング１８とから構成するものである。
前記伝達ラック７ａ，７ｂは、図４に示すように、本実施によるものでは右側の縦框１ａ内において断面形状が方形筒型をなすラック保持部材１０を介して取り付けてあり、このラック保持部材１０の内部において前記伝達ラック７ａ，７ｂは、右側の縦框１ａおよびラック保持部材１０の内部に突入したすべての同軸歯車８の正面側および背面側を挟んで、上下方向に連続するように各々配置あり、各伝達ラック７ａ，７ｂは、ラック保持部材１０内部の正面側と背面側に設けてあるガイド溝１１，１１に沿って上下動自在に取り付けてある。
このガイド溝１１，１１の上端部と下端部には、ガイド溝１１，１１の上端部と下端部とを遮るストッパーを各々設けてあり、各ストッパーの規制によって伝達ラック７ａ，７ｂがガイド溝１１，１１から上下に離脱しない構造となる。これにより、ツマミ９を上方または下方に動かしたときには、各伝達ラック７ａ，７ｂが相反する方向（具体的には、一方が上方に移動すれば他方は下方に移動する）に移動し、一方の伝達ラック７ａ，７ｂによる同軸歯車８の一方方向への回転に対して、常に他方の伝達ラック７ａ，７ｂが逆の方向へ回転しようと規制するので、各可動翼４が使用者の所望する可変角度位置で確実に止まり、採光や風の取り入れに際して微妙な角度調節を行えるように形成してある。
【００１７】
回転軸体５は、図２および図３（ａ）のように、この回転軸体５の伸びる方向の左側端部に伝達ラック７ａ，７ｂと噛合する同軸歯車８を有しており、右側端部には、可動翼４の側端面に設けた軸受穴２３に差し込みできる差込部２１を有している。この差込部２１は、水平軸回転する回転軸体５の右側端部において、軸方向と直交して相反する二箇所に一対の切欠部２１ａ，２１ａを各々設け、これにより先端部を段状に形成して断面略矩形状をなす係合部２２を設けたものである。そして、同軸歯車８が軸回転したときに、軸受穴２３の穴奥が差込部２１の係合部２２と同様に段状の穴部をなす被係合部２５を設けており、差込部２１の係合部２２が可動翼４の右側端面の軸受穴２３の内部にしっかりと係合する。このように形成すると、ツマミ９を上下動したときの同軸歯車８の空回りを防止し、可動翼４に対して回転力を確実に伝達することができる。また回転軸体５は、同軸歯車８と一体成形してあることにより、本可動ルーバの組立の手間が大幅に省かれるとともに、可動翼４の可動にかかる部位がシンプルな構造となるため、一般に可動部位の部品点数が多く複雑な構造の可動ルーバにあっては、製造納期の短縮と納入後の製品のメンテナンス性の向上が見込まれると推測される。
【００１８】
図４（ａ）（ｂ）（ｃ）は、本発明の回転軸体５の他の実施例を示すものである。
まず図４（ａ）に示すものは、係合部２２ａを略六角形に形成したものであり、軸受穴２３の穴奥に係合部２２ａと対応した略六角形の穴状をなす被係合部２５ａを設けてある。次に図４（ｂ）に示すものは、係合部２２ｂを略楕円形状に形成する一方、軸受穴２３の穴奥に係合部２２ｂと対応する略楕円形状の穴状をなす被係合部２５ｂを設けたものである。最後に図４（ｃ）に示すものは、係合部２２ｃを星形に形成する一方、軸受穴２３そのものが略星形をなす被係合部２５ｃとしたものである。
以上、図４（ａ）（ｂ）（ｃ）のように形成することによっても、回転軸体５が可動翼４の側端面に係合して空回りすることなく回転角度を調整することができる。
【００１９】
また可動翼４の軸受穴２３を設ける側の側端面Ｐとは相反する側の側端面Ｑに、図３（ｂ）のように、左側の縦框１ｂの受穴２９に係止する係止軸体２６を設けている。この係止軸体２６は、可動翼４の側端面Ｑに設けた軸保持穴３０に着脱可能に取り付けてあり、軸保持穴３０の穴奥にはコイルスプリング２８が入っている。これにより係止軸体２６は、コイルスプリング２８の付勢力の付与により出没するので、可動翼４を左側の縦框１ｂの側に押すと、係止軸体２６がコイルスプリング２８の付勢力に逆らって軸保持穴３０内に引っ込み、
回転軸体５の差込部２１が軸受穴２３から抜けて、可動翼４を取り外すことができるようになる。また前述した係止軸体２６は、コイルスプリング２８を設けずに側端面Ｑからの突出長さを出没させずに固定してもよい。
尚、符号２７は、取り外したときにスペースＳを開放し、縦框１ａの外から回転軸体５を取り出し、もしくは取り付けするための開閉部である。
【００２０】
可動翼４と左右の縦框１ａ，１ｂおよび上下框２，３の材質を異なるもので形成する場合、一般には左右の縦框１ａ，１ｂや上下框２，３に比較的強度の高いアルミやステンレスなどを用いる一方、可動翼４には木材やガラスなどの比較的強度の低いものを適用することが想定される。これは、左右の縦框１ａ，１ｂや上下框２，３が可動翼４を支持する部位であることに加え、左右の縦框１ａ，１ｂの框の幅寸法をできるだけ狭く形成して外観上目立たなくすることで可動翼４を視覚的に際立たせ、製品の意匠的な効果を得ることも想定されるからである。そして左右の縦框１ａ，１ｂおよび上下框２，３は、内部に可動翼４を回転するための伝達ラック７ａ，７ｂや同軸歯車８などを格納できる最低限のスペースＳ、および各可動翼４の重量に耐え得る耐久性を有していれば、材質については特に限定するものではない。またツマミ９の形状や大きさについては、本実施形態で示した方形以外に使用者が指で掴みやすいものであれば、例えば円形のものや多角形のものでもよい。
【００２１】
図６は、本発明の可動ルーバの他の実施形態を示すものである。詳しくは図５（ａ）（ｂ）に示すように、ツマミ３１が下框３の長手方向に沿って左右にスライドするものであり、さらにツマミ３１には、左右に延びる操作連動ラック３２を備えており、操作連動ラック３２は、垂直軸３３の下端に取り付けた始動伝達平歯車３４と噛合する一方、前記垂直軸３３の上端には駆動笠歯車３６ａが取り付けてあり、この駆動笠歯車３６ａは、水平軸３５の一端側に取り付けた従動笠歯車３６ｂと直交して噛み合っている。そして水平軸３５の他端側には第１減速平歯車３７ａが取り付けてあり、この第１減速平歯車３７ａは、小径の第２減速平歯車３７ｂ、次いで大径の第３減速平歯車３７ｃ、小径の第４減速平歯車３７ｄと大小交互に噛み合っており、さらに前記第４減速平歯車３７ｄを水平軸回りに回転する伝達水平軸３８には、伝達ラック７ａ，７ｂと噛合して上下に移動させる最終伝達平歯車３９を取り付けてある。このように形成した可動ルーバであっても、前述したツマミ３１を上下に操作する可動ルーバと同様に、使用者がすべての可動翼４を開閉したときの操作を軽くできる。さらに図示は省くが、可動翼４の側端部全体に軸受穴２３のみを開放した状態でキャップを嵌合することでもできる。このようにすると、回転軸体５の差込部２１を軸受穴２３に差し込んだときの可動翼４の耐久性が一層確保される。次に図７（ａ）（ｂ）に示すものは、本発明の回転軸体５の他の実施形態であり、この回転軸体５は、前述した差込部２１に代えて軸方向の一方または他方の端部に嵌合部４０を設けたものであり、この嵌合部４０は、半円弧状に湾曲した板状をなす２枚の押さえ片４０ａ，４０ｂを上下あるいは左右に間隔をあけて配することで形成してあり、両押さえ片４０ａ，４０ｂにより可動翼４の側端部の一面側と相反する他面側を各々押さえ、可動翼４に回転軸体５を嵌合するものである。このように形成しても可動翼４に対して同軸歯車８が回転したときの回転力を確実に伝達することができる。
尚、前述した駆動笠歯車３６ａ，従動笠歯車３６ｂのほか、例えばウォームギアを使用してもよい。
【図面の簡単な説明】
【００２２】
【図１】本発明による第１実施形態の可動ルーバの全体を示す一部を切欠した正面図である。
【図２】図１中Ａを拡大して示す可動翼の開閉作用に係る機能部の斜視図である。
【図３】図１のＢ−Ｂ線横縦断面であり、（ａ）は、正面視右側の縦框を拡大したものであり、（ｂ）は、同じく正面視左側の縦框を拡大したものである。
【図４】（ａ）（ｂ）（ｃ）は各々、本発明の回転軸体の他の実施形態を示す斜視図である。
【図５】本発明による第２実施形態の可動ルーバの全体を示す一部を切欠した正面図である。
【図６】（ａ）（ｂ）は、図４中Ｃを拡大して示す可動翼の開閉に係る要部を説明する一部を切欠
【図７】（ａ）は、本発明の回転軸体の他の実施形態を示す左右框を横断面して示す平面図であり、（ｂ）は、回転軸体を縦断面して示す側面図である。
【符号の説明】
【００２３】
１ａ，１ｂ  左右縦框
２  上框（上下框）
３  下框（上下框）
４  可動翼
５  回転軸体
７ａ，７ｂ  伝達ラック
８  同軸歯車
２１  差込部
２２，２２ａ，２２ｂ，２２ｃ  係合部
２３  軸受穴
２５，２５ａ，２５ｂ，２５ｃ  被係合部
２６  係止軸体
４０  嵌合部
【図１】
2008285893.tif 000003
【図２】
2008285893.tif 000004
【図３】
2008285893.tif 000005
【図４】
2008285893.tif 000006
【図５】
2008285893.tif 000007
【図６】
2008285893.tif 000008
【図７】
2008285893.tif 000009